(57)【要約】【課題】バス停において利用者の端末に対してバス接近情報を通知する構成において、利用者の利便性を向上させることができるバスロケーションシステム、中央装置、バス停端末、バスロケーション通知方法およびバスロケーション通知プログラムを提供する。【解決手段】バス１に搭載され、バス１の位置情報を送信するためのバス車載器１０と、バス車載器１０により送信された位置情報を受信し、受信した位置情報に基づいて、バス停２Ａ，２Ｂごとのバス接近情報を生成するための中央装置１１と、バス停２Ａ，２Ｂに対応して設けられ、中央装置１１により生成された対応のバス停２Ａ，２Ｂのバス接近情報を取得し、取得したバス接近情報を利用者端末１３に送信するためのバス停端末１２Ａ，１２Ｂとを備える。【選択図】図１
2013152516.tif 000002
【特許請求の範囲】
【請求項１】
バスに搭載され、前記バスの位置情報を送信するためのバス車載器と、
前記バス車載器により送信された前記位置情報を受信し、受信した前記位置情報に基づいて、バス停ごとのバス接近情報を生成するための中央装置と、
バス停に対応して設けられ、前記中央装置により生成された対応のバス停の前記バス接近情報を取得し、取得した前記バス接近情報を利用者端末に送信するためのバス停端末とを備える、バスロケーションシステム。
【請求項２】
前記バス停端末は、対応のバス停を運行経路に含むバス系統リストを前記利用者端末に送信する、請求項１に記載のバスロケーションシステム。
【請求項３】
前記バス停端末は、前記利用者端末において前記バス系統リストの中からバス系統が選択された場合には、選択されたバス系統の前記バス接近情報を前記利用者端末に送信する、請求項２に記載のバスロケーションシステム。
【請求項４】
前記バス停端末は、対応のバス停の識別情報を前記中央装置に送信し、
前記中央装置は、前記バス停端末から送信された前記識別情報に基づいてバス停を特定し、特定した前記バス停の前記バス接近情報を前記バス停端末に送信し、
前記バス停端末は、前記中央装置から送信された前記バス接近情報を前記利用者端末に送信する、請求項１から請求項３のいずれか１項に記載のバスロケーションシステム。
【請求項５】
前記中央装置は、特定した前記バス停を運行経路に含むバス系統リストを前記バス停端末に送信し、
前記バス停端末は、前記中央装置から送信された前記バス系統リストを前記利用者端末に送信し、前記利用者端末において前記バス系統リストの中から選択されたバス系統を示すバス系統情報を前記中央装置に送信し、
前記中央装置は、特定した前記バス停の前記バス接近情報であって、前記バス停端末から送信された前記バス系統情報の示すバス系統の前記バス接近情報を前記バス停端末に送信し、
前記バス停端末は、前記中央装置から送信された前記バス系統の前記バス接近情報を前記利用者端末に送信する、請求項４に記載のバスロケーションシステム。
【請求項６】
前記中央装置は、所定時間経過ごとまたは前記バス接近情報を更新するたびに、更新した前記バス接近情報を前記バス停端末に送信し、
前記バス停端末は、前記中央装置から送信された更新後の前記バス接近情報を取得し、取得した更新後の前記バス接近情報を前記利用者端末に送信する、請求項１から請求項５のいずれか１項に記載のバスロケーションシステム。
【請求項７】
前記バス停端末は、対応のバス停の識別情報を前記中央装置に送信し、
前記中央装置は、前記バス停端末から送信された前記識別情報に基づいてバス停を特定し、特定した前記バス停の時刻表を前記バス停端末に送信し、
前記バス停端末は、前記中央装置から送信された前記時刻表を前記利用者端末に送信する、請求項１から請求項６のいずれか１項に記載のバスロケーションシステム。
【請求項８】
前記中央装置は、特定した前記バス停の時刻表であって、前記バス停に対応する前記バス停端末に送信する前記バス接近情報の示すバスの到着予定時刻、より後の到着予定時刻を示す時刻表を前記バス停端末に送信する、請求項７に記載のバスロケーションシステム。
【請求項９】
前記バス停端末は、対応のバス停の識別情報を前記中央装置に送信し、
前記中央装置は、前記バス停端末から送信された前記識別情報に基づいてバス停を特定し、特定した前記バス停、および前記バス停に対応する前記バス接近情報の示すバス、が次に到着するバス停を含むバス路線情報を前記バス停端末に送信し、
前記バス停端末は、前記中央装置から送信された前記バス路線情報を前記利用者端末に送信する、請求項１から請求項８のいずれか１項に記載のバスロケーションシステム。
【請求項１０】
前記バス停端末は、対応のバス停の識別情報を前記中央装置に送信し、
前記中央装置は、前記バス停端末から送信された前記識別情報に基づいてバス停を特定し、特定した前記バス停に対応する広告を参照するための参照情報を前記バス停端末に送信し、
前記バス停端末は、前記中央装置から送信された前記参照情報を前記利用者端末に送信する、請求項１から請求項９のいずれか１項に記載のバスロケーションシステム。
【請求項１１】
前記バス停端末は、無線ＬＡＮ（Local Area Network）経由または特定小電力無線を用いて前記利用者端末に前記バス接近情報を送信する、請求項１から請求項１０のいずれか１項に記載のバスロケーションシステム。
【請求項１２】
前記バス停端末は、前記中央装置から複数のバス停端末の前記バス接近情報を取得し、取得した前記バス接近情報を他のバス停端末に送信する、請求項１から請求項１１のいずれか１項に記載のバスロケーションシステム。
【請求項１３】
バスに搭載されたバス車載器から、前記バスの位置情報を受信するための中央受信部と、
前記中央受信部により受信された前記位置情報に基づいて、バス停ごとのバス接近情報を生成するための接近情報生成部と、
前記接近情報生成部により生成された前記バス接近情報を、バス停に対応して設けられ、利用者端末と通信可能なバス停端末に送信するための中央送信部とを備える、中央装置。
【請求項１４】
バスの位置情報に基づいて生成された対応するバス停のバス接近情報を受信するためのバス停受信部と、
前記バス停受信部により受信された前記バス接近情報を利用者端末に送信するためのバス停送信部とを備える、バス停端末。
【請求項１５】
バスに搭載されるバス車載器と、中央装置と、バス停に対応して設けられるバス停端末とを備えるバスロケーションシステムに用いられるプログラムであって、
コンピュータに、
前記バス車載器が、前記バスの位置情報を送信するステップと、
前記中央装置が、前記バス車載器により送信された前記位置情報を受信し、受信した前記位置情報に基づいて、バス停ごとのバス接近情報を生成するステップと、
前記バス停端末が、前記中央装置により生成された対応のバス停の前記バス接近情報を取得し、取得した前記バス接近情報を利用者端末に送信するステップとを実行させるための、バスロケーション通知プログラム。
【請求項１６】
バスに搭載されるバス車載器およびバス停に対応して設けられるバス停端末と通信可能な中央装置に用いられるプログラムであって、
コンピュータに、
前記バス車載器から、前記バスの位置情報を受信するステップと、
受信した前記位置情報に基づいて、バス停ごとのバス接近情報を生成するステップと、
生成した前記バス接近情報を利用者端末と通信可能な前記バス停端末に送信するステップとを実行させるための、バスロケーション通知プログラム。
【請求項１７】
バス停に対応して設けられるバス停端末に用いられるプログラムであって、
コンピュータに、
バスの位置情報に基づいて生成された対応するバス停のバス接近情報を受信するステップと、
受信した前記バス接近情報を利用者端末に送信するステップとを実行させるための、バスロケーション通知プログラム。
【発明の詳細な説明】
【技術分野】
【０００１】
本発明は、バスロケーションシステム、中央装置、バス停端末、バスロケーション通知方法およびバスロケーション通知プログラムに関し、特に、バスの利用者にバス接近情報を通知するバスロケーションシステム、中央装置、バス停端末、バスロケーション通知方法およびバスロケーション通知プログラムに関する。
【背景技術】
【０００２】
従来、バスが走行している位置情報に基づいて、バス停に接近するバスの接近情報をバスの利用者に通知するためのバスロケーションシステムが知られている。このようなバスロケーションシステムは、例えば、バスに搭載される車載装置と、車載装置が送信する情報を受信する中央制御装置と、バスの停留所に設置される表示装置とを備えている。そして、表示装置は、中央制御装置から表示情報を受信すると、この表示情報に基づいて表示パネルの運行状況の表示内容を更新し、系統ごとに路線バスがどの辺りを走行しているかを利用者に提供するとともに、当該路線バスの種類を利用者に提供する（例えば、特開２０１１−１０７７９２号公報（特許文献１）参照）。
【先行技術文献】
【特許文献】
【０００３】
【特許文献１】特開２０１１−１０７７９２号公報
【発明の概要】
【発明が解決しようとする課題】
【０００４】
しかしながら、バスの停留所には中央制御装置から表示情報を受信するための表示装置が設置されていない場合があり、このようなバスの停留所においては、特許文献１に記載のバスロケーションシステムを用いてバスの接近情報を利用者に通知することができないという問題があった。
【０００５】
また、インターネットを介してバスの接近情報を利用者の利用者端末等に提供するバスロケーションシステムが開発されている。しかしながら、このようなバスロケーションシステムによれば、利用者は、所望のバスに関するバス接近情報を取得するために、例えばバス会社のサイトにアクセスした後、利用するバス停情報、バス系統情報およびバスの行先情報などの種々の情報を入力する必要があり、多くの操作を要するという問題があった。
【０００６】
この発明は、上述の課題を解決するためになされたもので、その目的は、バス停において利用者の端末に対してバス接近情報を通知する構成において、利用者の利便性を向上させることができるバスロケーションシステム、中央装置、バス停端末、バスロケーション通知方法およびバスロケーション通知プログラムを提供することである。
【課題を解決するための手段】
【０００７】
（１）上記課題を解決するために、この発明のある局面に係わるバスロケーションシステムは、バスに搭載され、上記バスの位置情報を送信するためのバス車載器と、上記バス車載器により送信された上記位置情報を受信し、受信した上記位置情報に基づいて、バス停ごとのバス接近情報を生成するための中央装置と、バス停に対応して設けられ、上記中央装置により生成された対応のバス停の上記バス接近情報を取得し、取得した上記バス接近情報を利用者端末に送信するためのバス停端末とを備える。
【０００８】
ここで、バス接近情報とは、バス停が設けられている位置に対する、当該バス停に接近しているバスの位置を示す情報、または、当該バス停にバスが到着するまでのおよその推定時間を示す情報などである。
【０００９】
このような構成により、利用者は、利用するバス停情報、バス系統情報およびバスの行先情報などの種々の情報を利用者端末に入力することなく、利用するバスのバス接近情報を取得することができるため、バス停において利用者の端末に対してバス接近情報を通知する構成において、利用者の利便性を向上させることができる。
【００１０】
（２）好ましくは、上記バス停端末は、対応のバス停を運行経路に含むバス系統リストを上記利用者端末に送信する。
【００１１】
このような構成により、例えば、対応のバス停を運行経路に含むバス系統が複数あり、各バス系統のバス接近情報が全て利用者端末に表示される場合と比較して、利用者端末における表示が簡潔となり、利用者にとって見やすい表示を提供することができる。
【００１２】
（３）より好ましくは、上記バス停端末は、上記利用者端末において上記バス系統リストの中からバス系統が選択された場合には、選択されたバス系統の上記バス接近情報を上記利用者端末に送信する。
【００１３】
このような構成により、利用者は、利用するバス停に接近しているバスだけでなく、自身の行先に応じた所望のバス系統のバス接近情報を得ることができる。
【００１４】
（４）好ましくは、上記バス停端末は、対応のバス停の識別情報を上記中央装置に送信し、上記中央装置は、上記バス停端末から送信された上記識別情報に基づいてバス停を特定し、特定した上記バス停の上記バス接近情報を上記バス停端末に送信し、上記バス停端末は、上記中央装置から送信された上記バス接近情報を上記利用者端末に送信する。
【００１５】
このような構成により、中央装置は、複雑な構成を用いることなく、複数のバス停端末の中からバス接近情報を送信すべき対応するバス停端末を正確に特定することができる。
【００１６】
（５）より好ましくは、上記中央装置は、特定した上記バス停を運行経路に含むバス系統リストを上記バス停端末に送信し、上記バス停端末は、上記中央装置から送信された上記バス系統リストを上記利用者端末に送信し、上記利用者端末において上記バス系統リストの中から選択されたバス系統を示すバス系統情報を上記中央装置に送信し、上記中央装置は、特定した上記バス停の上記バス接近情報であって、上記バス停端末から送信された上記バス系統情報の示すバス系統の上記バス接近情報を上記バス停端末に送信し、上記バス停端末は、上記中央装置から送信された上記バス系統の上記バス接近情報を上記利用者端末に送信する。
【００１７】
このように、中央装置は、利用者端末において利用者により選択されたバス系統情報に基づいてバス停端末にバス接近情報を送信するため、当該利用者により利用されるバス系統のバス接近情報を正確に利用者端末に送信することができる。
【００１８】
（６）好ましくは、上記中央装置は、所定時間経過ごとまたは上記バス接近情報を更新するたびに、更新した上記バス接近情報を上記バス停端末に送信し、上記バス停端末は、上記中央装置から送信された更新後の上記バス接近情報を取得し、取得した更新後の上記バス接近情報を上記利用者端末に送信する。
【００１９】
このような構成により、現時点における正確なバス接近情報を自動的に利用者端末に送信することができる。また、バス停端末が無線ＬＡＮ経由で利用者端末に通信を行う場合には、利用者がバス停端末と利用者端末との間の通信費を負担する必要がないため、中央装置により利用者端末に自動的に更新後のバス接近情報が送信されても利用者の負担する通信費が高くなることがなく、このような構成が一層有効である。
【００２０】
（７）好ましくは、上記バス停端末は、対応のバス停の識別情報を上記中央装置に送信し、上記中央装置は、上記バス停端末から送信された上記識別情報に基づいてバス停を特定し、特定した上記バス停の時刻表を上記バス停端末に送信し、上記バス停端末は、上記中央装置から送信された上記時刻表を上記利用者端末に送信する。
【００２１】
このような構成により、例えば、バス停に多くの人が並び、列の後方に並ぶ利用者がバス停に添付されている時刻表を見ることができないような状況等であっても、利用するバス停の時刻表を利用者は自己の端末において確認することができる。
【００２２】
（８）より好ましくは、上記中央装置は、特定した上記バス停の時刻表であって、上記バス停に対応する上記バス停端末に送信する上記バス接近情報の示すバスの到着予定時刻、より後の到着予定時刻を示す時刻表を上記バス停端末に送信する。
【００２３】
このような構成により、時刻表に含まれるバスの到着予定時刻の全てが利用者端末に表示される場合と比較して、利用者が、有効なバスの到着予定時刻を容易に確認することができる。
【００２４】
（９）好ましくは、上記バス停端末は、対応のバス停の識別情報を上記中央装置に送信し、上記中央装置は、上記バス停端末から送信された上記識別情報に基づいてバス停を特定し、特定した上記バス停、および上記バス停に対応する上記バス接近情報の示すバス、が次に到着するバス停を含むバス路線情報を上記バス停端末に送信し、上記バス停端末は、上記中央装置から送信された上記バス路線情報を上記利用者端末に送信する。
【００２５】
このような構成により、利用者は利用者端末においてバス接近情報の示すバスのバス路線情報を確認して、当該バス接近情報の示すバスが、自身の行先に合ったバスであるか否かを容易に確認することができる。
【００２６】
（１０）好ましくは、上記バス停端末は、対応のバス停の識別情報を上記中央装置に送信し、上記中央装置は、上記バス停端末から送信された上記識別情報に基づいてバス停を特定し、特定した上記バス停に対応する広告を参照するための参照情報を上記バス停端末に送信し、上記バス停端末は、上記中央装置から送信された上記参照情報を上記利用者端末に送信する。
【００２７】
このような構成により、利用者端末に広告を表示させることができるため、利用者は、例えばバスの待ち時間を有効利用することができる。また、バスロケーションシステムの提供者が、広告会社等から広告料の収入などの利益を得ることが可能である。
【００２８】
また、このような構成により、バスロケーションシステムの提供者が、例えばバス停が設けられている地域に適した広告の参照情報を利用者端末に送信するなど、バス停端末ごとに異なる広告を利用者に提示することができる。
【００２９】
（１１）好ましくは、上記バス停端末は、無線ＬＡＮ（Local Area Network）経由または特定小電力無線を用いて上記利用者端末に上記バス接近情報を送信する。
【００３０】
このような構成により、利用者は、バス停端末および利用者端末間で通信を行うための通信費用を負担する必要がない。
【００３１】
（１２）好ましくは、上記バス停端末は、上記中央装置から複数のバス停端末の上記バス接近情報を取得し、取得した上記バス接近情報を他のバス停端末に送信する。
【００３２】
このような構成により、バス停ごとにバス停端末と中央装置とを接続するための回線を設ける必要がなく、コストを削減することができる。
【００３３】
（１３）上記課題を解決するために、この発明のある局面に係わるバスロケーションシステムの中央装置は、バスに搭載されたバス車載器から、上記バスの位置情報を受信するための中央受信部と、上記中央受信部により受信された上記位置情報に基づいて、バス停ごとのバス接近情報を生成するための接近情報生成部と、上記接近情報生成部により生成された上記バス接近情報を、バス停に対応して設けられ、利用者端末と通信可能なバス停端末に送信するための中央送信部とを備える。
【００３４】
このような構成により、利用者は、利用するバス停情報、バス系統情報およびバスの行先情報などの種々の情報を利用者端末に入力することなく、利用するバスのバス接近情報を取得することができるため、バス停において利用者の端末に対してバス接近情報を通知する構成において、利用者の利便性を向上させることができる。
【００３５】
（１４）上記課題を解決するために、この発明のある局面に係わるバスロケーションシステムのバス停端末は、バスの位置情報に基づいて生成された対応するバス停のバス接近情報を受信するためのバス停受信部と、上記バス停受信部により受信された上記バス接近情報を利用者端末に送信するためのバス停送信部とを備える。
【００３６】
このような構成により、利用者は、利用するバス停情報、バス系統情報およびバスの行先情報などの種々の情報を利用者端末に入力することなく、利用するバスのバス接近情報を取得することができるため、バス停において利用者の端末に対してバス接近情報を通知する構成において、利用者の利便性を向上させることができる。
【００３７】
（１５）上記課題を解決するために、この発明のある局面に係わるバスロケーション通知プログラムは、バスに搭載されるバス車載器と、中央装置と、バス停に対応して設けられるバス停端末とを備えるバスロケーションシステムに用いられるプログラムであって、コンピュータに、上記バス車載器が、上記バスの位置情報を送信するステップと、上記中央装置が、上記バス車載器により送信された上記位置情報を受信し、受信した上記位置情報に基づいて、バス停ごとのバス接近情報を生成するステップと、上記バス停端末が、上記中央装置により生成された対応のバス停の上記バス接近情報を取得し、取得した上記バス接近情報を利用者端末に送信するステップとを実行させるためのプログラムである。
【００３８】
このような構成により、利用者は、利用するバス停情報、バス系統情報およびバスの行先情報などの種々の情報を利用者端末に入力することなく、利用するバスのバス接近情報を取得することができるため、バス停において利用者の端末に対してバス接近情報を通知する構成において、利用者の利便性を向上させることができる。
【００３９】
（１６）上記課題を解決するために、この発明のある局面に係わるバスロケーション通知プログラムは、バスに搭載されるバス車載器およびバス停に対応して設けられるバス停端末と通信可能な中央装置に用いられるプログラムであって、コンピュータに、上記バス車載器から、上記バスの位置情報を受信するステップと、受信した上記位置情報に基づいて、バス停ごとのバス接近情報を生成するステップと、生成した上記バス接近情報を利用者端末と通信可能な上記バス停端末に送信するステップとを実行させるためのプログラムである。
【００４０】
このような構成により、利用者は、利用するバス停情報、バス系統情報およびバスの行先情報などの種々の情報を利用者端末に入力することなく、利用するバスのバス接近情報を取得することができるため、バス停において利用者の端末に対してバス接近情報を通知する構成において、利用者の利便性を向上させることができる。
【００４１】
（１７）上記課題を解決するために、この発明のある局面に係わるバスロケーション通知プログラムは、バス停に対応して設けられるバス停端末に用いられるプログラムであって、コンピュータに、バスの位置情報に基づいて生成された対応するバス停のバス接近情報を受信するステップと、受信した上記バス接近情報を利用者端末に送信するステップとを実行させるためのプログラムである。
【００４２】
このような構成により、利用者は、利用するバス停情報、バス系統情報およびバスの行先情報などの種々の情報を利用者端末に入力することなく、利用するバスのバス接近情報を取得することができるため、バス停において利用者の端末に対してバス接近情報を通知する構成において、利用者の利便性を向上させることができる。
【００４３】
上記課題を解決するために、この発明のある局面に係わるバスロケーション通知方法は、バスに搭載されるバス車載器と、中央装置と、バス停に対応して設けられるバス停端末とを備えるバスロケーションシステムにおけるバスロケーション通知方法であって、上記バス車載器が、上記バスの位置情報を送信するステップと、上記中央装置が、上記バス車載器により送信された上記位置情報を受信し、受信した上記位置情報に基づいて、バス停ごとのバス接近情報を生成するステップと、上記バス停端末が、上記中央装置により生成された対応のバス停の上記バス接近情報を取得し、取得した上記バス接近情報を利用者端末に送信するステップとを含む。
【００４４】
このような構成により、利用者は、利用するバス停情報、バス系統情報およびバスの行先情報などの種々の情報を利用者端末に入力することなく、利用するバスのバス接近情報を取得することができるため、バス停において利用者の端末に対してバス接近情報を通知する構成において、利用者の利便性を向上させることができる。
【００４５】
上記課題を解決するために、この発明のある局面に係わるバスロケーション通知方法は、バスに搭載されるバス車載器およびバス停に対応して設けられるバス停端末と通信可能な中央装置におけるバスロケーション通知方法であって、上記バス車載器から、上記バスの位置情報を受信するステップと、受信した上記位置情報に基づいて、バス停ごとのバス接近情報を生成するステップと、生成した上記バス接近情報を利用者端末と通信可能な上記バス停端末に送信するステップとを含む。
【００４６】
このような構成により、利用者は、利用するバス停情報、バス系統情報およびバスの行先情報などの種々の情報を利用者端末に入力することなく、利用するバスのバス接近情報を取得することができるため、バス停において利用者の端末に対してバス接近情報を通知する構成において、利用者の利便性を向上させることができる。
【００４７】
上記課題を解決するために、この発明のある局面に係わるバスロケーション通知方法は、バス停に対応して設けられるバス停端末におけるバスロケーション通知方法であって、バスの位置情報に基づいて生成された対応するバス停のバス接近情報を受信するステップと、受信した上記バス接近情報を利用者端末に送信するステップとを含む。
【００４８】
このような構成により、利用者は、利用するバス停情報、バス系統情報およびバスの行先情報などの種々の情報を利用者端末に入力することなく、利用するバスのバス接近情報を取得することができるため、バス停において利用者の端末に対してバス接近情報を通知する構成において、利用者の利便性を向上させることができる。
【発明の効果】
【００４９】
本発明によれば、バス停において利用者の端末に対してバス接近情報を通知する構成において、利用者の利便性を向上させることができる。
【図面の簡単な説明】
【００５０】
【図１】本発明の実施の形態１に係るバスロケーションシステムの使用イメージを示す図である。
【図２】本発明の実施の形態１に係るバスロケーションシステムのバス停端末の構成を示すブロック図である。
【図３】本発明の実施の形態１に係るバスロケーションシステムの中央装置の構成を示すブロック図である。
【図４】本発明の実施の形態１に係るバスロケーションシステムの画面生成部により生成された画面を例示する図である。
【図５】本発明の実施の形態１に係るバスロケーションシステムによる接続処理の動作手順を定めたシーケンス図である。
【図６】本発明の実施の形態１に係るバスロケーションシステムによるバス情報提供処理の動作手順を定めたシーケンス図である。
【図７】本発明の実施の形態１に係るバスロケーションシステムによる検索サイトサーバ接続処理の動作手順を定めたシーケンス図である。
【図８】本発明の実施の形態１に係るバスロケーションシステムによる広告サーバ接続処理の動作手順を定めたシーケンス図である。
【図９】本発明の実施の形態２に係るバスロケーションシステムの使用イメージを示す図である。
【発明を実施するための形態】
【００５１】
（実施の形態１）
以下、本発明の実施の形態１について図面を用いて説明する。なお、図中同一または相当部分には同一符号を付してその説明は繰り返さない。
【００５２】
［構成および基本動作］
（バスロケーションシステムの構成）
図１は、本発明の実施の形態１に係るバスロケーションシステム１００の使用イメージを示す図である。
【００５３】
図１を参照して、本発明の実施の形態１に係るバスロケーションシステム１００は、バス車載器１０と、中央装置１１と、バス停端末１２Ａ，１２Ｂとを備える。
【００５４】
バス車載器１０は、道路を走行するバス１に搭載され、ＭＣＡ（Multi-Channel Access）無線等により中央装置１１との間で通信する。また、バス車載器１０は、中央装置１１と直接通信するだけでなく、例えば、路上に設置された光ビーコンなどの路上通信装置またはバス停端末１２Ａ，１２Ｂを介して中央装置１１と通信する。
【００５５】
バス車載器１０は、ＧＰＳ（Global Positioning System）等を用いてバス１の位置情報を取得する。そして、バス車載器１０は、取得したバス１の位置情報およびバス１の系統番号などを含む情報を、所定の周期で中央装置１１に送信する。
【００５６】
中央装置１１は、バス管理センター内などに設置されている。中央装置１１は、バス車載器１０からバス１の位置情報を取得すると、この位置情報に基づいてバス停ごとのバス接近情報を生成する。ここで、バス接近情報とは、バス停が設けられている位置に対する、当該バス停に接近しているバスの位置を示す情報、または、当該バス停にバスが到着するまでのおよその推定時間を示す情報などである。
【００５７】
また、中央装置１１は、ネットワーク１４を介してバス停２Ａ，２Ｂに対応して設けられているバス停端末１２Ａ，１２Ｂと接続されている。そして、中央装置１１は、バス停端末１２Ａ，１２Ｂに、対応するバス停２Ａ，２Ｂのバス接近情報を送信する。
【００５８】
バス停端末１２Ａは、バス１が走行する道路脇に設置されているバス停２Ａに設けられている。また、バス停端末１２Ｂは、バス１が走行する道路脇に設置されているバス停２Ｂに設けられている。バス停端末１２Ａ，１２Ｂは、例えば専用回線によりネットワーク１４を介して中央装置１１と接続され、中央装置１１との間で各種情報を送受信する。なお、バス停端末１２Ａ，１２Ｂと中央装置１１との間の通信は、無線により行うことも可能である。
【００５９】
バス停端末１２Ａ，１２Ｂは、無線ＬＡＮ（Local Area Network）経由により、対応のバス停２Ａ，２Ｂを利用する利用者３の利用者端末１３と接続される。そして、バス停端末１２Ａ，１２Ｂは、中央装置１１から対応するバス停２Ａ，２Ｂのバス接近情報をそれぞれ受信し、受信したバス接近情報を、接続された利用者端末１３に送信する。なお、バス停端末１２Ａ，１２Ｂと利用者端末１３との間の通信は、無線ＬＡＮ経由に限定されず、例えば特定小電力無線を用いて行うことも可能である。
【００６０】
また、ネットワーク１４には、中央装置１１に加えて、広告サーバ１５および検索サイトサーバ１６が接続されている。広告サーバ１５は、例えば広告会社等に設けられ、広告情報を提供するサーバである。検索サイトサーバ１６は、検索エンジンを用いた検索サービスを提供するサーバである。
【００６１】
利用者端末１３は、バス停端末１２Ａ，１２Ｂおよびネットワーク１４を介して広告サーバ１５または検索サイトサーバ１６と接続可能である。
【００６２】
以下、本発明の実施の形態１に係るバスロケーションシステム１００の詳細について説明する。以下の説明においては、利用者端末１３を所持する利用者３がバス停２Ａに接近し、バス停２Ａに設けられたバス停端末１２Ａと利用者端末１３とが接続される場合について説明する。
【００６３】
（バス停端末の構成）
図２は、本発明の実施の形態１に係るバスロケーションシステム１００のバス停端末１２Ａの構成を示すブロック図である。なお、バス停端末１２Ｂは、図２に示すバス停端末１２Ａと同様の構成である。
【００６４】
バス停端末１２Ａは、無線ＬＡＮ通信制御部２１と、ネットワーク接続部２２と、ＣＰＵ（Central Processing Unit）２３と、メモリ２４とを含む。
【００６５】
無線ＬＡＮ通信制御部２１は、バス停２Ａの周囲に制御信号を送信する。そして、例えば、予めバスロケーションシステム１００の専用のアプリケーションをダウンロードした利用者端末１３を所持する利用者３がバス停２Ａに近づくと、利用者端末１３が当該制御信号を受信する。そして、制御信号を受信した利用者端末１３の表示画面に、バス停端末１２Ａと接続を行うか否かを選択するための後述するアイコンｎ１が表示される。
【００６６】
なお、利用者３がバス停２Ｂに近づくと、利用者端末１３が、バス停端末１２Ｂによりバス停２Ｂの周囲に送信される制御信号を受信し、利用者端末１３の表示画面に、バス停端末１２Ｂと接続を行うか否かを選択するための後述するアイコンｎ１が表示される。
【００６７】
そして、利用者端末１３においてアイコンｎ１が選択され、バス停端末１２Ａとの接続について認証要求が行われると、この認証要求が利用者端末１３からバス停端末１２Ａの無線ＬＡＮ通信制御部２１に送信される。
【００６８】
無線ＬＡＮ通信制御部２１は、利用者端末１３から認証要求を取得すると、利用者端末１３に対してバス停２Ａの識別情報を送信する。なお、識別情報は、例えば、Ｗｉ−Ｆｉ通信におけるＩＰ（Internet Protocol）アドレスであり、メモリ２４に予め記憶されている。これにより、利用者端末１３とバス停２Ａに設けられたバス停端末１２Ａとが接続される。
【００６９】
また、無線ＬＡＮ通信制御部２１は、利用者端末１３から、認証要求だけでなく他の情報要求を受信する。他の情報要求とは、情報の提供開始の要求（以下、「情報提供開始要求Ｒ１」）、バス１に関する情報要求（以下、「バス情報提供要求Ｒ２」）、利用者３が利用するバス系統情報（以下、「バス系統情報Ｒ３」）、検索サイトサーバ１６への接続要求（以下、「検索サイトサーバ接続要求Ｒ４」）、または、広告サーバ１５への接続要求（以下、「広告サーバ接続要求Ｒ５」）である。これらの情報要求が利用者端末１３から送信された場合における具体的な動作については後述する。
【００７０】
ＣＰＵ２３は、バス停受信部２６と、バス停送信部２７とを有している。バス停受信部２６は、ネットワーク１４およびネットワーク接続部２２を介して、中央装置１１から送信されたバス接近情報を受信する。バス停送信部２７は、バス停受信部２６により受信されたバス接近情報を、無線ＬＡＮ通信制御部２１を介して利用者端末１３に送信する。
【００７１】
なお、バス停端末１２Ａから利用者端末１３に送信される情報は、バス停２Ａのバス接近情報だけでなく、バス停２Ａを運行経路に含むバスのバス系統情報、バス停２Ａに到着するバスの到着予定時刻を示す時刻表、およびバス停２Ａおよびバス接近情報に対応するバスが次に到着するバス停との関係を示すバス路線情報なども含まれる。
【００７２】
（中央装置の構成）
図３は、本発明の実施の形態１に係るバスロケーションシステム１００の中央装置１１の構成を示すブロック図である。図３を参照して、中央装置１１は、バスロケーションサーバ３１と、ＷＥＢサーバ３２とを含む。
【００７３】
（ａ）バスロケーションサーバ
バスロケーションサーバ３１は、バス車載器通信制御部４１（中央受信部）と、メモリ４２と、ＣＰＵ４３と、インタフェース４４と、ＨＤＤ（Hard disk drive）４５とを有する。
【００７４】
バス車載器通信制御部４１は、例えばＭＣＡ無線によりバス車載器１０と通信し、バス車載器１０からバス１の位置情報を受信する。そして、バス車載器通信制御部４１は、バス車載器１０から取得した位置情報をＣＰＵ４３に出力する。
【００７５】
メモリ４２は、バス停ごとのバス接近情報、系統情報、時刻表およびバス路線情報を予め記憶する。
【００７６】
ＣＰＵ４３は、位置情報取得部４６と、接近情報生成部４７とを有している。位置情報取得４６は、バス車載器通信制御部４１から出力されたバス１の位置情報を取得して、取得した位置情報を接近情報生成部４７に出力する。
【００７７】
接近情報生成部４７は、メモリ４２に記憶されている系統情報およびバス路線情報と、位置情報取得部４６から出力された位置情報とを用いて、バス停ごとのバス接近情報を生成する。そして、接近情報生成部４７は、生成したバス接近情報を、インタフェース４４を介してＷＥＢサーバ３２に送信する。また、接近情報生成部４７は、生成したバス接近情報をメモリ４２に記憶させる。
【００７８】
ＨＤＤ４５は、ＣＰＵ４３がバス接近情報の生成を実行するためのコンピュータプログラムなどを記憶する。
【００７９】
（ｂ）ＷＥＢサーバ
ＷＥＢサーバ３２は、ネットワーク接続部５１（中央送信部）と、インタフェース５２と、ＨＤＤ５３と、ＣＰＵ５４と、メモリ５５とを有している。
【００８０】
ネットワーク接続部５１は、ネットワーク１４を介して、バス停端末１２Ａ，１２Ｂ、広告サーバ１５および検索サイトサーバ１６と接続可能である。ネットワーク接続部５１は、バス停端末１２Ａから、バス停２Ａの識別情報を含む情報提供開始要求Ｒ１、バス情報提供要求Ｒ２、バス系統情報Ｒ３、検索サイトサーバ接続要求Ｒ４または広告サーバ接続要求Ｒ５を取得し、取得したこれらの情報要求をＣＰＵ５４に出力する。
【００８１】
また、ネットワーク接続部５１は、バスロケーションサーバ３１により生成されたバス接近情報などを、ネットワーク１４を介してバス停端末１２Ａに送信する。
【００８２】
ＨＤＤ５３は、ＣＰＵ５４が各種情報の制御処理を実行するためのコンピュータプログラムなどを記憶する。
【００８３】
メモリ５５は、利用者端末１３において検索サイトを参照するための情報、すなわちリダイレクト先である検索サイトのＵＲＬ（Uniform Resource Locator）を記憶する。また、メモリ５５は、利用者端末１３において広告を参照するための情報、すなわちリダイレクト先である広告サイトのＵＲＬを記憶する。また、メモリ５５は、バス停ごとの識別情報を記憶する。
【００８４】
ＣＰＵ５４は、制御部５６と、特定部５７と、画面生成部５８とを有している。制御部５６は、ネットワーク接続部５１から出力された情報要求を取得する。そして、取得した情報要求に応じた動作を行う。
【００８５】
以下に、制御部５６が取得した情報を、利用者端末１３から送信される「情報提供開始要求Ｒ１」、「バス情報提供要求Ｒ２」、「バス系統情報Ｒ３」、「検索サイトサーバ接続要求Ｒ４」および「広告サーバ接続要求Ｒ５」に分けて、それぞれの情報要求が送信された場合における、制御部５６、特定部５７および画面生成部５８の各動作を説明する。
【００８６】
図４は、本発明の実施の形態１に係るバスロケーションシステム１００の画面生成部５８により生成された画面を例示する図である。
【００８７】
利用者端末１３を所持する利用者３がバス停２Ａに近づき、利用者端末１３がバス停端末１２Ａから送信される制御信号を受信すると、図４（ａ）に示すように、バスロケーションシステム１００の専用のアプリケーションであって、バス停端末１２Ａと接続を行うか否かを選択するためのアイコンｎ１が、利用者端末１３の表示画面に表示される。そして、利用者端末１３においてアイコンｎ１が選択されると、利用者端末１３からバス停端末１２Ａに対して認証要求が送信される。
【００８８】
このようにして、利用者端末１３とバス停端末１２Ａとが接続された後、例えば、利用者端末１３において情報提供の開始を要求するためのバナーが選択されると、利用者端末１３からバス停２Ａの識別情報を含む情報提供開始要求Ｒ１が中央装置１１に送信される。
【００８９】
（１）情報提供開始要求Ｒ１
中央装置１１の制御部５６が取得した情報が情報提供開始要求Ｒ１である場合、制御部５６は、この情報提供開始要求Ｒ１を特定部５７に出力する。特定部５７は、情報提供開始要求Ｒ１に含まれているバス停の識別情報に基づいて、メモリ５５を参照し、利用者端末１３と接続されているバス停端末に対応するバス停を特定する。
【００９０】
本実施の形態においては、特定部５７は、バス停２Ａを、利用者端末１３と接続されているバス停端末に対応するバス停として特定する。そして、特定部５７は、特定したバス停情報を画面生成部５８に出力する。
【００９１】
画面生成部５８は、特定部５７から出力されたバス停情報に基づいて、特定されたバス停２Ａに対応する初期画面Ｇ１を生成する。この初期画面Ｇ１には、図４（ｂ）に示すように、バス情報バナーｎ２と、検索サイトバナーｎ３と、広告バナーｎ４とが表示されている。
【００９２】
ここで、検索サイトバナーｎ３は、利用者端末１３から中央装置１１へ検索サイトサーバ接続要求Ｒ４を送信するためのバナーである。また、広告バナーｎ４は、例えばバス停２Ａが設けられている地域に適した広告の広告サーバ接続要求Ｒ５を利用者端末１３から中央装置１１に送信するためのバナーである。
【００９３】
画面生成部５８は、生成した初期画面Ｇ１を、バス停２Ａを介して利用者端末１３に送信する。これにより、利用者端末１３の表示画面に、この初期画面Ｇ１が表示される。そして、利用者端末１３において、例えばバス情報バナーｎ２が選択されると、バス情報提供要求Ｒ２が、利用者端末１３から中央装置１１に送信される。
【００９４】
（２）バス情報提供要求Ｒ２
中央装置１１の制御部５６が取得した情報がバス情報提供要求Ｒ２である場合、制御部５６は、ＷＥＢサーバ３２のインタフェース５２およびバスロケーションサーバ３１のインタフェース４４を介して、バスロケーションサーバ３１のメモリ４３に記憶されている系統情報から、特定部５７により特定されたバス停２Ａの系統情報を抽出する。そして、制御部５６は、抽出した系統情報を画面生成部５８に出力する。
【００９５】
画面生成部５８は、制御部５６から系統情報を取得し、取得した系統情報に基づいてバス停２Ａのバス系統リストを示す系統リスト画面Ｇ２を生成する。この系統リスト画面Ｇ２には、図４（ｃ）に示すように、バス停２Ａを運行経路に含むバスのバス系統番号と、各バス系統のバス１の行先が対応づけて表示されている。
【００９６】
画面生成部５８は、生成した系統リスト画面Ｇ２を、バス停２Ａを介して利用者端末１３に送信する。これにより、利用者端末１３の表示画面に、この系統リスト画面Ｇ２が表示される。
【００９７】
そして、利用者端末１３において、バス系統リストの中からバス系統が選択されると、選択されたバス系統を示すバス系統情報Ｒ３が、利用者端末１３から中央装置１１に送信される。
【００９８】
なお、系統リストの中から選択される系統リストは１つに限られず、複数の系統リストが選択された場合には、選択されたそれぞれの系統リストについて、バス系統情報Ｒ３が中央装置１１に送信される。
【００９９】
また、系統リスト画面Ｇ２には、広告バナーｎ４が表示されており、利用者端末１３の表示画面に系統リスト画面Ｇ２が表示されている場合において広告バナーｎ４が選択されると、利用者端末１３から広告サーバ接続要求Ｒ４が中央装置１１に送信される。また、系統リスト画面Ｇ２には、広告バナーｎ４だけでなく検索サイトバナーｎ３が表示されていてもよい。
【０１００】
（３）バス系統情報Ｒ３
中央装置１１の制御部５６が取得した情報がバス系統情報Ｒ３である場合、制御部５６は、バスロケーションサーバ３１のメモリ４３に記憶されている情報の中から、バス接近情報、バス路線情報および時刻表を抽出する。なお、このバス接近情報は、バス停２Ａを運行経路に含み、バス系統情報Ｒ３に対応するバス系統のバス接近情報である。そして、制御部５６は、抽出したバス接近情報、バス路線情報および時刻表を画面生成部５８に出力する。
【０１０１】
画面生成部５８は、制御部５６からバス接近情報、バス路線情報および時刻表を取得し、取得したこれらの情報に基づいて、バス接近情報を示すバス接近案内表示画面Ｇ３を生成する。例えば、バス接近案内表示画面Ｇ３には、図４（ｄ）に示すように、バス停２Ａの名称、バス系統番号、バス１の行先、先発および次発のバス１とバス停２Ａとのおよその位置関係、バス路線情報または、時刻表などが含まれている。
【０１０２】
画面生成部５８は、例えば、表示されているバス接近情報の示すバス、すなわちバス停２Ａとの位置関係が示されているバスの到着予定時刻より後のバスの到着予定時刻を示す時刻表であって、例えば２時間分のバスの到着予定時刻を、バス接近案内表示画面Ｇ３に含まれる時刻表として生成する。なお、このような時刻表は、バス停端末１２Ａにおいて生成されてもよい。また、バス接近案内表示画面Ｇ３には、図４（ｃ）に示す系統リスト画面Ｇ２と同様に、広告バナーｎ４が表示されている。
【０１０３】
また、バス接近案内表示画面Ｇ３には、例えば、バス管理センターから配信されるバスの運休情報、遅延情報、バス停２Ａにバス１が到着するまでのおよその推定時間を示す情報、バス１の発車予定時刻、バス１の種類情報、バス事業者ホームページ、または、その他の緊急情報などが表示されていてもよい。なお、バス１の種類情報とは、例えば、ワンステップバス、ノンステップバス、またはリフト付きバスなどの種類を示す情報である。
【０１０４】
画面生成部５８は、生成したバス接近案内表示画面Ｇ３を、バス停２Ａを介して利用者端末１３に送信する。これにより、利用者端末１３の表示画面に、このバス接近案内表示画面Ｇ３が表示される。
【０１０５】
ここで、中央装置１１の位置情報取得部４６は、バス車載器１０から所定の周期でバス１の位置情報を取得し、取得した位置情報を接近情報生成部４７に出力する。そして、接近情報生成部４７は、所定の周期でバス接近情報を生成し、メモリ４３に記憶されているバス接近情報を更新する。
【０１０６】
そして、制御部５６は、利用者端末１３の表示画面にバス接近案内表示画面Ｇ３が表示されている状況において、制御部５６は、メモリ４３に記憶されているバス接近情報が更新されるたびに更新後のバス接近情報を取得して、取得したバス接近情報を画面生成部５８に出力する。そして、画面生成部５８は、制御部５６から更新後のバス接近情報が出力されるたびに、バス接近案内表示画面Ｇ３を更新し、更新後のバス接近案内表示画面Ｇ３を利用者端末１３に送信する。
【０１０７】
なお、制御部５６が、更新後のバス接近情報を取得するタイミングは、所定の周期に限られず、例えば、接近情報生成部４７は、バス１の位置情報の変化時、または、利用者端末１３においてバス接近情報の更新が要求された場合などにバス接近情報を更新し、制御部５６は、接近情報生成部４７によりバス接近情報が更新されるたびに、更新後のバス接近情報を取得してもよい。また、制御部５６は、バス接近情報の更新の有無にかかわらず、所定の周期でバス接近情報を取得してもよい。
【０１０８】
また、制御部５６が所定の周期で更新後のバス接近情報を取得する場合には、制御部５６は、バス停端末１２Ａと利用者端末１３との接続が継続しているか否かを判断し、継続していると判断した場合にのみ更新後のバス接近情報の取得を行うように構成することが可能である。
【０１０９】
（４）検索サイトサーバ接続要求Ｒ４
図４（ｂ）に示す初期画面Ｇ１が利用者端末１３の表示画面に表示されている場合に、利用者端末１３において検索サイトバナーｎ３が選択されると、検索サイトサーバ接続要求Ｒ４が、利用者端末１３からバス停端末１２Ａを介して中央装置１１に送信される。
【０１１０】
中央装置１１の制御部５６が取得した情報が検索サイトサーバ接続要求Ｒ４である場合、制御部５６は、メモリ５５に記憶されている検索サイトのＵＲＬを抽出する。そして、制御部５６は、抽出したＵＲＬを画面生成部５８に出力する。
【０１１１】
画面生成部５８は、制御部５６からＵＲＬを取得し、このＵＲＬを表示する画面を生成する。そして、画面生成部５８は、生成したＵＲＬ表示画面を、バス停２Ａを介して利用者端末１３に送信する。
【０１１２】
そして、利用者端末１３においてＵＲＬ表示画面に表示されているＵＲＬが選択された場合には、バス停端末１２Ａおよびネットワーク１４を介して、利用者端末１３と、このＵＲＬに対応する検索サイトサーバ１６とが接続される。これにより、利用者端末１３の表示画面には、図４（ｅ）に示すように、検索サイト画面Ｇ４が表示される。
【０１１３】
なお、検索サイト画面Ｇ４には、図４（ｃ）に示す系統リスト画面Ｇ２と同様に、広告バナーｎ４が表示されている。また、検索サイト画面Ｇ４には、利用者端末１３から中央装置１１へバス情報提供要求Ｒ２を送信するためのバス情報バナーｎ２が表示されている。そして、利用者端末１３においてバス情報バナーｎ２が選択されると、利用者端末１３からバス情報提供要求Ｒ２が中央装置１１に送信される。  
【０１１４】
（５）広告サーバ接続要求Ｒ５
図４（ｂ）に示す初期画面Ｇ１、図４（ｃ）に示す系統リスト画面Ｇ２、図４（ｄ）に示すバス接近案内表示画面Ｇ３、または、図４（ｅ）に示す検索サイト画面Ｇ４が利用者端末１３の表示画面に表示されている場合に、利用者端末１３において広告バナーｎ４が選択されると、広告サーバ接続要求Ｒ５が、利用者端末１３からバス停端末１２Ａを介して中央装置１１に送信される。
【０１１５】
中央装置１１の制御部５６が取得した情報が広告サーバ接続要求Ｒ５である場合、制御部５６は、メモリ５５に記憶されている広告サイトのＵＲＬを抽出する。そして、制御部５６は、抽出したＵＲＬを画面生成部５８に出力する。
【０１１６】
画面生成部５８は、制御部５６からＵＲＬを取得し、このＵＲＬを表示する画面を生成する。そして、画面生成部５８は、生成したＵＲＬ表示画面を、バス停２Ａを介して利用者端末１３に送信する。
【０１１７】
そして、利用者端末１３においてＵＲＬ表示画面に表示されているＵＲＬが選択された場合には、利用者端末１３が、バス停端末１２Ａおよびネットワーク１４を介して、このＵＲＬに対応する広告サーバ１５と接続される。これにより、利用者端末１３の表示画面には、図４（ｆ）に示すように、広告画面Ｇ５が表示される。なお、広告画面Ｇ５には、図４（ｅ）に示す検索サイト画面Ｇ４と同様に、バス情報バナーｎ２が表示されている。
【０１１８】
［動作］
次に、本発明の実施の形態１に係るバスロケーションシステム１００が利用者３に情報提供を行う際の動作について、「接続処理」、「バス情報提供処理」、「検索サイトサーバ接続処理」、「広告サーバ接続処理」に分けて説明する。
【０１１９】
バスロケーションシステム１００における中央装置１１、バス停端末１２Ａ，１２Ｂ等の各装置は、シーケンス図の各ステップを含むプログラムを図示しないメモリから読み出して実行する。このプログラムは、外部からインストールすることができる。このインストールされるプログラムは、たとえば記録媒体に格納された状態で流通する。
【０１２０】
（接続処理）
図５は、本発明の実施の形態１に係るバスロケーションシステム１００による接続処理の動作手順を定めたシーケンス図である。
【０１２１】
図５を参照して、まず、利用者端末１３を所持する利用者３がバス停２Ａに近づくと、利用者端末１３が、バス停２Ａに設けられたバス停端末１２Ａから、バス停２Ａの周囲の送信されている制御信号を受信する（ステップＳ１１）。これにより、利用者端末１３の表示画面には、図４（ａ）に示すように、バス停端末１２Ａと接続するか否かを選択するためのアイコンｎ１が表示される。
【０１２２】
そして、利用者端末１３においてアイコンｎ１が選択されると、利用者端末１３が、バス停端末１２Ａに対して認証要求を送信する（ステップＳ１２）。そして、バス停端末１２Ａが、利用者端末１３から認証要求を取得すると、バス停２Ａの識別情報を利用者端末１３に送信する（ステップＳ１３）。これにより、バス停端末１２Ａと利用者端末１３とが接続される。
【０１２３】
そして、利用者端末１３が、バス停端末１２Ａを介して情報提供開始要求Ｒ１を中央装置１１に送信すると、中央装置１１のＷＥＢサーバ３２が、情報提供開始要求Ｒ１を取得する（ステップＳ１４）。なお、バス停端末１２Ａは、ステップＳ１３において利用者端末１３から認証要求を取得した場合に必ずしもバス停２Ａの識別情報を利用者端末１３に送信する必要はなく、例えば、利用者端末１３から情報提供開始要求Ｒ１が送信された場合に、バス停端末１２Ａが、この情報提供開始要求Ｒ１と共にバス停２Ａの識別情報を中央装置１１に送信してもよい。そして、ＷＥＢサーバ３２が、取得した情報提供開始要求Ｒ１に含まれるバス停２Ａの識別情報に基づいて、利用者端末１３と接続されているバス停端末に対応するバス停、すなわち利用者３の最寄りのバス停を特定する（ステップＳ１５）。本実施の形態においては、ＷＥＢサーバ３２が、バス停２Ａを利用者３の最寄りのバス停として特定する。
【０１２４】
そして、ＷＥＢサーバ３２が、特定したバス停２Ａに対応する初期画面Ｇ１を生成する（ステップＳ１６）。そして、ＷＥＢサーバ３２が、生成した初期画面を、バス停端末１２Ａを介して利用者端末１３に送信する（ステップＳ１７）。これにより、利用者端末１３の表示画面には初期画面Ｇ１が表示される。
【０１２５】
そして、利用者端末１３において初期画面Ｇ１に表示されているバス情報バナーｎ２、検索サイトバナーｎ３および広告バナーｎ４のうち、バス情報バナーｎ２が選択されると「バス情報提供処理」に移行し、検索サイトバナーｎ３が選択されると「検索サイトサーバ接続処理」に移行し、広告バナーｎ４が選択されると「広告サーバ接続処理」に移行する（ステップＳ１８）。
【０１２６】
（バス情報提供処理）
図６は、本発明の実施の形態１に係るバスロケーションシステム１００によるバス情報提供処理の動作手順を定めたシーケンス図である。
【０１２７】
図６を参照して、まず、利用者端末１３においてバス情報バナーｎ２が選択されると、利用者端末１３が、バス停端末１２Ａを介してバス情報提供要求Ｒ２を中央装置１１に送信する（ステップＳ２１）。
【０１２８】
そして、中央装置１１のＷＥＢサーバ３２が、バスロケーションサーバ３１のメモリ４３を参照し（ステップＳ２２）、メモリ４３に記憶されている系統情報の中から、図５に示すステップＳ１５において特定されたバス停２Ａの系統情報を抽出する（ステップＳ２３）。
【０１２９】
そして、ＷＥＢサーバ３２が、抽出した系統情報に基づいて、バス停２Ａを運行経路に含むバスのバス系統リストを示す系統リスト画面Ｇ２を生成する（ステップＳ２４）。そして、ＷＥＢサーバ３２が、生成した系統リスト画面Ｇ２を、バス停端末１２Ａを介して利用者端末１３に送信する（ステップＳ２５）。これにより、利用者端末１３の表示画面に系統リスト画面Ｇ２が表示される。
【０１３０】
そして、利用者端末１３においてバス系統リストの中からバス系統が選択されると（ステップＳ２６）、選択されたバス系統を示すバス系統情報Ｒ３が、利用者端末１３からバス停端末１２Ａを介して中央装置１１に送信される（ステップＳ２７）。
【０１３１】
そして、中央装置１１のＷＥＢサーバ３２が、バスロケーションサーバ３１のメモリ４３を参照し（ステップＳ２８）、メモリ４３に記憶されている情報の中から、バス系統情報Ｒ３に対応するバス接近情報、バス路線情報および時刻表を抽出する（ステップＳ２９）。
【０１３２】
そして、ＷＥＢサーバ３２が、抽出したバス接近情報、バス路線情報および時刻表に基づいてバス接近案内表示画面Ｇ３を生成する（ステップＳ３０）。そして、ＷＥＢサーバ３２が、生成したバス接近案内表示画面Ｇ３を、バス停端末１２Ａを介して利用者端末１３に送信する（ステップＳ３１）。これにより、利用者端末１３の表示画面にバス接近案内表示画面Ｇ３が表示される。
【０１３３】
また、所定の周期でメモリ４３に記憶されるバス接近情報が更新され、このバス接近情報が更新されるたびに、上述したステップＳ２８からステップＳ３１までの動作が繰り返される。
【０１３４】
（検索サイトサーバ接続処理）
図７は、本発明の実施の形態１に係るバスロケーションシステム１００による検索サイトサーバ接続処理の動作手順を定めたシーケンス図である。
【０１３５】
図７を参照して、まず、利用者端末１３において検索サイトバナーｎ３が選択されると、利用者端末１３が、バス停端末１２Ａを介して検索サイトサーバ接続要求Ｒ４を中央装置１１に送信する（ステップＳ４１）。
【０１３６】
そして、中央装置１１のＷＥＢサーバ３２が、メモリ５５に記憶されているＵＲＬの中から検索サイトのＵＲＬを抽出し、抽出したＵＲＬを、バス停端末１２Ａを介して利用者端末１３に送信する（ステップＳ４２）。これにより、利用者端末１３の表示画面には、ＵＲＬ表示画面が表示される。
【０１３７】
そして、利用者端末１３においてＵＲＬ表示画面に表示されているＵＲＬが選択されると、バス停端末１２Ａおよびネットワーク１４を介して、利用者端末１３と、このＵＲＬに対応する検索サイトサーバ１６とが接続される（ステップＳ４３）。そして、図４（ｅ）に示す検索サイト画面Ｇ４が利用者端末１３の表示画面に表示され、利用者端末１３に情報配信が行われる（ステップＳ４４）。
【０１３８】
（広告サーバ接続処理）
図８は、本発明の実施の形態１に係るバスロケーションシステム１００による広告サーバ接続処理の動作手順を定めたシーケンス図である。
【０１３９】
図８を参照して、まず、利用者端末１３において広告バナーｎ４が選択されると、利用者端末１３が、バス停端末１２Ａを介して広告サーバ接続要求Ｒ５を中央装置１１に送信する（ステップＳ５１）。
【０１４０】
そして、中央装置１１のＷＥＢサーバ３２が、メモリ５５に記憶されているＵＲＬの中から広告サイトのＵＲＬを抽出し、抽出したＵＲＬを、バス停端末１２Ａを介して利用者端末１３に送信する（ステップＳ５２）。これにより、利用者端末１３の表示画面には、ＵＲＬ表示画面が表示される。
【０１４１】
そして、利用者端末１３においてＵＲＬ表示画面に表示されているＵＲＬが選択されると、バス停端末１２Ａおよびネットワーク１４を介して、利用者端末１３と、このＵＲＬに対応する広告サーバ１５とが接続される（ステップＳ５３）。そして、図４（ｆ）に示す広告画面Ｇ５が利用者端末１３の表示画面に表示され、利用者端末１３に情報配信が行われる（ステップＳ５４）。
【０１４２】
ところで、バスの停留所には中央制御装置から表示情報を受信するための表示装置が設置されていない場合があり、このようなバスの停留所においては、特許文献１に記載のバスロケーションシステムを用いてバスの接近情報を利用者に通知することができないという問題があった。
【０１４３】
また、インターネットを介してバスの接近情報を利用者の利用者端末等に提供するバスロケーションシステムが開発されている。しかしながら、このようなバスロケーションシステムによれば、利用者は、所望のバスに関するバス接近情報を取得するために、例えばバス会社のサイトにアクセスした後、利用するバス停情報、バス系統情報およびバスの行先情報などの種々の情報を入力する必要があり、多くの操作を要するという問題があった。
【０１４４】
これに対して、本発明の実施の形態１に係るバスロケーションシステム１００は、バス１に搭載され、バス１の位置情報を送信するためのバス車載器１０と、バス車載器１０により送信された位置情報を受信し、受信した位置情報に基づいて、バス停２Ａ，２Ｂごとのバス接近情報を生成するための中央装置１１と、バス停２Ａ，２Ｂに対応して設けられ、中央装置１１により生成された対応のバス停２Ａ，２Ｂのバス接近情報を取得し、取得したバス接近情報を利用者端末１３に送信するためのバス停端末１２Ａ，１２Ｂとを備える。
【０１４５】
このような構成により、利用者３は、利用するバス停情報、バス系統情報およびバスの行先情報などの種々の情報を利用者端末１３に入力することなく、利用するバスのバス接近情報を取得することができるため、バス停２Ａ，２Ｂにおいて利用者３の端末１３に対してバス接近情報を通知する構成において、利用者３の利便性を向上させることができる。
【０１４６】
また、本発明の実施の形態１に係るバスロケーションシステム１００において、バス停端末１２Ａ，１２Ｂは、対応のバス停２Ａ，２Ｂを運行経路に含むバス系統リストを利用者端末１３に送信する。
【０１４７】
このような構成により、例えば、対応のバス停２Ａ，２Ｂを運行経路に含むバス系統が複数あり、各バス系統のバス接近情報が全て利用者端末１３に表示される場合と比較して、利用者端末１３における表示が簡潔となり、利用者３にとって見やすい表示を提供することができる。
【０１４８】
また、本発明の実施の形態１に係るバスロケーションシステム１００において、バス停端末１２Ａ，１２Ｂは、利用者端末１３においてバス系統リストの中からバス系統が選択された場合には、選択されたバス系統の上記バス接近情報を利用者端末１３に送信する。
【０１４９】
このような構成により、利用者３は、利用するバス停２Ａ，２Ｂに最も接近しているバスだけでなく、自身の行先に応じたバス系統を選択して、所望のバス系統のバス接近情報を得ることができる。
【０１５０】
また、本発明の実施の形態１に係るバスロケーションシステム１００において、バス停端末１２Ａ，１２Ｂは、対応のバス停２Ａ，２Ｂの識別情報を中央装置１１に送信し、中央装置１１は、バス停端末１２Ａ，１２Ｂから送信された識別情報に基づいてバス停２Ａ，２Ｂを特定し、特定したバス停２Ａ，２Ｂのバス接近情報をバス停端末１２Ａ，１２Ｂに送信し、バス停端末１２Ａ，１２Ｂは、中央装置１１から送信されたバス接近情報を利用者端末１３に送信する。
【０１５１】
このような構成により、中央装置１１は、複雑な構成を用いることなく、複数のバス停端末１２Ａ，１２Ｂの中からバス接近情報を送信すべきバス停端末を正確に特定することができる。
【０１５２】
また、本発明の実施の形態１に係るバスロケーションシステム１００において、中央装置１１は、特定したバス停２Ａ，２Ｂを運行経路に含むバス系統リストをバス停端末１２Ａ，１２Ｂに送信する。そして、バス停端末１２Ａ，１２Ｂは、中央装置１１から送信されたバス系統リストを利用者端末１３に送信し、利用者端末１３においてバス系統リストの中から選択されたバス系統を示すバス系統情報Ｒ３を中央装置１１に送信する。そして、中央装置１１は、特定したバス停２Ａ，２Ｂのバス接近情報であって、バス停端末１２Ａ，１２Ｂから送信されたバス系統情報Ｒ３の示すバス系統のバス接近情報をバス停端末１２Ａ，１２Ｂに送信し、バス停端末１２Ａ，１２Ｂは、中央装置１１から送信されたバス系統のバス接近情報を利用者端末１３に送信する。
【０１５３】
このように、中央装置１１は、利用者端末１３において利用者３により選択されたバス系統情報Ｒ３に基づいてバス停端末１２Ａ，１２Ｂにバス接近情報を送信するため、利用者３が利用するバス系統のバス接近情報を正確に利用者端末１３に送信することができる。
【０１５４】
また、本発明の実施の形態１に係るバスロケーションシステム１００において、バス停端末１２Ａ，１２Ｂは、無線ＬＡＮ経由または特定小電力無線を用いて利用者端末１３にバス接近情報を送信する。
【０１５５】
このような構成により、利用者３は、バス停端末１２Ａ，１２Ｂおよび利用者端末１３間で通信を行うための通信費用を負担する必要がない。
【０１５６】
また、本発明の実施の形態１に係るバスロケーションシステム１００において、中央装置１１は、所定時間経過ごとまたはバス接近情報を更新するたびに、更新したバス接近情報をバス停端末１２Ａ，１２Ｂに送信し、バス停端末１２Ａ，１２Ｂは、中央装置１１から送信された更新後のバス接近情報を取得し、取得した更新後のバス接近情報を利用者端末１３に送信する。
【０１５７】
このような構成により、現時点における正確なバス接近情報を自動的に利用者端末１３に送信することができる。また、バス停端末１２Ａ，１２Ｂが無線ＬＡＮ経由で利用者端末１３に通信を行う場合には、利用者３がバス停端末１２Ａ，１２Ｂと利用者端末１３との間の通信費を負担する必要がないため、中央装置１１により利用者端末１３に自動的に更新後のバス接近情報が送信されても利用者３の負担する通信費が高くなることがなく、このような構成が一層有効である。
【０１５８】
また、本発明の実施の形態１に係るバスロケーションシステム１００において、バス停端末１２Ａ，１２Ｂは、対応のバス停２Ａ，２Ｂの識別情報を中央装置１１に送信し、中央装置１１は、バス停端末１２Ａ，１２Ｂから送信された識別情報に基づいてバス停２Ａ，２Ｂを特定し、特定したバス停２Ａ，２Ｂの時刻表をバス停端末１２Ａ，１２Ｂに送信し、バス停端末１２Ａ，１２Ｂは、中央装置１１から送信された時刻表を利用者端末１３に送信する。
【０１５９】
このような構成により、例えば、バス停２Ａ，２Ｂに多くの人が並び、列の後方に並ぶ利用者３がバス停２Ａ，２Ｂに添付されている時刻表が見ることができないような状況等であっても、利用するバス停２Ａ，２Ｂの時刻表を利用者３は自己の利用者端末１３において確認することができる。
【０１６０】
また、本発明の実施の形態１に係るバスロケーションシステム１００において、中央装置１１は、特定したバス停２Ａ，２Ｂの時刻表であって、バス停２Ａ，２Ｂに対応するバス停端末１２Ａ，１２Ｂに送信するバス接近情報の示すバス１の到着予定時刻、より後の到着予定時刻を示す時刻表をバス停端末１２Ａ，１２Ｂに送信する。
【０１６１】
このような構成により、時刻表に含まれるバス１の到着予定時刻の全てが利用者端末１３に表示される場合と比較して、利用者３が、有効なバス１の到着予定時刻を容易に確認することができる。
【０１６２】
また、本発明の実施の形態１に係るバスロケーションシステム１００において、バス停端末１２Ａ，１２Ｂは、対応のバス停２Ａ，２Ｂの識別情報を中央装置１１に送信し、中央装置１１は、バス停端末１２Ａ，１２Ｂから送信された識別情報に基づいてバス停２Ａ，２Ｂを特定し、特定したバス停２Ａ，２Ｂ、およびバス停２Ａ，２Ｂに対応するバス接近情報の示すバス１、が次に到着するバス停２Ａ，２Ｂを含むバス路線情報をバス停端末１２Ａ，１２Ｂに送信し、バス停端末１２Ａ，１２Ｂは、中央装置１１から送信されたバス路線情報を利用者端末１３に送信する。
【０１６３】
このような構成により、利用者３は利用者端末１３においてバス接近情報の示すバスのバス路線情報を確認して、当該バス接近情報の示すバスが、自身の行先に合ったバスであるか否かを容易に確認することができる。
【０１６４】
また、本発明の実施の形態１に係るバスロケーションシステム１００において、バス停端末１２Ａ，１２Ｂは、対応のバス停２Ａ，２Ｂの識別情報を中央装置１１に送信し、中央装置１１は、バス停端末１２Ａ，１２Ｂから送信された識別情報に基づいてバス停２Ａ，２Ｂを特定し、特定したバス停２Ａ，２Ｂに対応する広告を参照するための参照情報をバス停端末１２Ａ，１２Ｂに送信し、バス停端末１２Ａ，１２Ｂは、中央装置１１から送信された参照情報を利用者端末１３に送信する。
【０１６５】
このような構成により、利用者端末１３に広告を表示させることができるため、利用者３は、例えばバス１の待ち時間を有効利用することができる。また、バスロケーションシステム１００の提供者が、広告会社等から広告料の収入を得るなどの利益を得ることが可能である。
【０１６６】
また、このような構成により、バスロケーションシステムの提供者が、例えばバス停２Ａ，２Ｂが設けられている地域に適した広告の参照情報を利用者端末１３に送信するなど、バス停端末１２Ａ，１２Ｂごとに異なる広告を利用者に提示することができる。
【０１６７】
なお、上述した本発明の実施の形態１に係るバスロケーションシステム１００によれば、利用者端末１３においてバス情報バナーｎ２が選択されると、中央装置１１のＷＥＢサーバ３２から利用者端末１３に系統リスト画面Ｇ２が送信され、利用者端末１３においてバス系統が選択されると、ＷＥＢサーバ３２から利用者端末１３にバス接近案内表示画面Ｇ３が送信される。
【０１６８】
しかしながら、本発明に係るバスロケーションシステムは必ずしもこのような構成に限定されず、例えば、利用者端末１３においてバス情報バナーｎ２が選択されると、系統リスト画面Ｇ２を経由せずに、ＷＥＢサーバ３２から利用者端末１３にバス接近案内表示画面Ｇ３が送信されてもよい。
【０１６９】
（実施の形態２）
以下、本発明の実施の形態２について図面を用いて説明する。なお、図中同一または相当部分には同一符号を付してその説明は繰り返さない。
【０１７０】
上述した本発明の実施の形態１に係るバスロケーションシステム１００は、中央装置１１が、ネットワーク１４を介してバス停端末１２Ａ，１２Ｂとそれぞれ接続され、バス停端末１２Ａ，１２Ｂごとにバス接近情報を送信する。
【０１７１】
これに対して、本発明の実施の形態２に係るバスロケーションシステム２００は、中央装置１１が、ネットワーク１４を介してバス停端末１７Ａと接続され、バス停端末１７Ａに複数のバス停端末１７Ａ，１７Ｂ，１７Ｃのバス接近情報を送信するものである。
【０１７２】
図９は、本発明の実施の形態２に係るバスロケーションシステム２００の使用イメージを示す図である。
【０１７３】
図９を参照して、本発明の実施の形態２に係るバスロケーションシステム２００は、バス車載器１０と、中央装置１１と、バス停端末１７Ａ，１７Ｂ，１７Ｃとを備える。バス車載器１０は、図１に示す本発明の実施の形態１に係るバスロケーションシステム１００におけるバス車載器１０と同様の構成である。
【０１７４】
本発明の実施の形態２に係るバスロケーションシステム２００における中央装置１１は、ネットワーク１４を介してバス停４Ａに対応して設けられているバス停端末１７Ａと接続されている。そして、中央装置１１は、バス停端末１７Ａに、対応するバス停４Ａおよびバス停４Ａの付近に設けられている他のバス停４Ｂ，４Ｃのバス接近情報、系統情報、時刻表およびバス路線情報を送信する。
【０１７５】
バス停端末１７Ａは、バス１が走行する道路脇に設置されているバス停４Ａに設けられている。また、バス停端末１７Ｂは、バス１が走行する道路脇に設置されているバス停４Ｂに設けられている。また、バス停端末１７Ｃは、バス１が走行する道路脇に設置されているバス停４Ｃに設けられている。バス停４Ａ，４Ｂ，４Ｃは、例えば、同じバスターミナルに設置されているなど、互いに無線信号の送受信が可能な程度に近接して設置されている。
【０１７６】
バス停端末１７Ａ，１７Ｂ，１７Ｃは、実施の形態１に係るバスロケーションシステム１００におけるバス停端末１２Ａ，１２Ｂと同様に、無線ＬＡＮ経由により利用者端末１３と接続される。
【０１７７】
そして、利用者端末１３を所持する利用者３がバス停４Ａに接近すると利用者端末１３とバス停端末１７Ａとが接続され、利用者３がバス停４Ｂに接近すると利用者端末１３とバス停端末１７Ｂとが接続され、利用者３がバス停４Ｃに接近すると利用者端末１３とバス停端末１７Ｃとが接続される。
【０１７８】
バス停端末１７Ａは、中央装置１１からバス停４Ａ，４Ｂ，４Ｃのバス接近情報を受信する。そして、バス停端末１７Ａは、受信したバス接近情報のうち、バス停４Ｂのバス接近情報を無線信号によりバス停端末１７Ｂに送信する。そして、バス停端末１７Ｂが、取得したバス接近情報を利用者端末１３に送信する。
【０１７９】
また、バス停端末１７Ｂと接続されている利用者端末１３から中央装置１１へ情報要求が送信される場合には、バス停端末１７Ｂが、利用者端末１３から送信された情報要求を受信し、受信した当該情報要求を無線信号によりバス停端末１７Ａに送信する。そして、バス停端末１７Ａが、バス停端末１７Ｂを介して利用者端末１３から送信された当該情報要求を受信して、受信した当該情報要求を中央装置１１に送信する。
【０１８０】
また、バス停端末１７Ａは、受信したバス接近情報のうち、バス停４Ｃのバス接近情報を無線信号によりバス停端末１７Ｃに送信する。そして、バス停端末１７Ｃが、取得したバス接近情報を利用者端末１３に送信する。
【０１８１】
また、バス停端末１７Ｃと接続されている利用者端末１３から中央装置１１へ情報要求が送信される場合も、利用者端末１３とバス停端末１７Ｂとが接続されている場合と同様に、バス停端末１７Ｃが、利用者端末１３から送信された情報要求を受信し、受信した当該情報要求を無線信号によりバス停端末１７Ａに送信する。そして、バス停端末１７Ａが、バス停端末１７Ｃを介して利用者端末１３から送信された当該情報要求を受信して、受信した当該情報要求を中央装置１１に送信する。
【０１８２】
このように、本発明の実施の形態２に係るバスロケーションシステム２００によれば、バス停端末１７Ａは、中央装置１１からバス停端末１７Ａ，１７Ｂ，１７Ｃのバス接近情報を取得し、取得したバス接近情報を他のバス停端末１７Ｂ，１７Ｃに送信する。
【０１８３】
このような構成により、バス停４Ａ，４Ｂ，４Ｃごとにバス停端末１７Ａ，１７Ｂ，１７Ｃと中央装置１１とを接続するための回線を設ける必要がなく、コストを削減することができる。
【０１８４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１８５】
１  バス
２Ａ，２Ｂ  バス停（実施の形態１）
３  利用者端末
４Ａ，４Ｂ，４Ｃ  バス停（実施の形態２）
１０  バス車載器
１１  中央装置
１２Ａ，１２Ｂ  バス停端末（実施の形態１）
１３  利用者端末
１４  ネットワーク
１５  広告サーバ
１６  検索サイトサーバ
１７Ａ，１７Ｂ，１７Ｃ  バス停端末（実施の形態１）
２１  無線ＬＡＮ通信制御部
２２  ネットワーク接続部
２３  ＣＰＵ
２４  メモリ
２６  バス停受信部
２７  バス停送信部
３１  バスロケーションサーバ
３２  ＷＥＢサーバ
４１  バス車載器通信制御部（中央受信部）
４２  メモリ
４３  ＣＰＵ
４４  インタフェース
４５  ＨＤＤ
４６  位置情報取得部
４７  接近情報生成部
５１  ネットワーク接続部（中央送信部）
５２  インタフェース
５３  ＨＤＤ
５４  ＣＰＵ
５５  メモリ
５６  制御部
５７  特定部
５８  画面生成部
１００  バスロケーションシステム（実施の形態１）
２００  バスロケーションシステム（実施の形態２）
ｎ１  アイコン
ｎ２  バス情報バナー
ｎ３  検索サイトバナー
ｎ４  広告バナー
Ｇ１  初期画面
Ｇ２  系統リスト画面
Ｇ３  バス接近案内表示画面
Ｇ４  検索サイト画面
Ｇ５  広告画面
【図１】
2013152516.tif 000003
【図２】
2013152516.tif 000004
【図３】
2013152516.tif 000005
【図４】
2013152516.tif 000006
【図５】
2013152516.tif 000007
【図６】
2013152516.tif 000008
【図７】
2013152516.tif 000009
【図８】
2013152516.tif 000010
【図９】
2013152516.tif 000011